(57)【要約】【課題】  室内機と室外機が取り付けられたエアコンパネルを起立状態に支持するスタンドを備え、ユニットハウス組立時には、該スタンドによって室外機を載置するためのフレームを支持するユニットハウス用エアコンパネルを提供する。【解決手段】  パネル本体８の外側に取り付けられた、室外機１０を載置するためのフレーム１１と、前記フレーム１１に対して、回転及びスライド可能に取り付けられたスタンド１３とを備え、前記フレーム１１に対してスタンド１３をスライドさせて、前記スタンド１３の一端を接地させた状態で、スタンド１３を前記フレーム１１に固定することによって、前記スタンド１３がフレーム１１を支持する。【選択図】  図２
2005249216.tif 000002
【特許請求の範囲】
【請求項１】
パネル本体に、エアーコンディショナの室外機及び室内機が取り付けられたユニットハウス用エアコンパネルにおいて、
前記パネル本体の外側に取り付けられた、室外機を載置するためのフレームと、前記フレームに対して、回転及びスライド可能に取り付けられたスタンドとを備え、
前記フレームに対してスタンドをスライドさせて、前記スタンドの一端を接地させた状態でスタンドを前記フレームに固定することによって、スタンドが前記フレームを支持することを特徴とするユニットハウス用エアコンパネル。
【請求項２】
前記スタンドは水平状態で前記フレームに固定され、パネル本体を起立状態に支持することを特徴とする請求項１に記載されたユニットハウス用エアコンパネル。
【請求項３】
前記フレームは、パネル本体の上下方向に延設された縦フレームとパネル本体に対して垂直方向に延設された横フレームとを連結したボックスフレームであって、
前記スタンドは、パネル本体の下部に位置する下部横フレームに対して、回転及びスライド可能に取り付けられていることを特徴とする請求項１または請求項２に記載されたユニットハウス用エアコンパネル。
【発明の詳細な説明】
【技術分野】
【０００１】
本発明は、エアーコンディショナの室外機及び室内機が取り付けられたユニットハウス用エアコンパネルに関し、特に室外機を載置するためのフレームを支持するスタンドを備えたユニットハウス用エアコンパネルに関する。
【背景技術】
【０００２】
ユニットハウスは、従来から工事現場等において広く用いられており、このユニットハウスは、使用する者の選択により、室外機と室内機から構成されるエアコン（エアーコンディショナ）を装備することができるように構成されている。
【０００３】
このエアコンが装備されたユニットハウスについて、図５及び図６に基づいて説明する。なお、図５は、エアコンが装備されたユニットハウスの全体構造を示した斜視図であり、図６は図５に示されたユニットハウスに用いられているエアコンパネルの側面図である。
図５に示すように、このユニットハウス５１は、土台５２と屋根５３とが四隅に配置された４本の通し柱５４により連結され、各通し柱５４，５４間に壁パネル５５，５６等が組み付けられて床形状が長方形の家屋を構成している。
【０００４】
また、前記ユニットハウス５１の幅狭の壁面を構成する壁パネル５５にはドア５７が装着され、一方、幅広の壁面を構成する壁パネル５６にはガラス窓５８がはめ込まれている。そして、この壁パネル５６には、エアーコンディショナの室外機６０及び室内機５９が取り付けられたパネル本体（エアコンパネル）６１がはめ込まれている。
【０００５】
このパネル本体６１の室内側上部には、図６に示すように、エアコン（エアーコンディショナ）の室内機５９が固定され、このパネル本体６１の下部の開口部６１ａには、エアコンの室外機６０を収容して支持したフレームボックス６２が取り付けられている。そしてこの開口部６１ａの上側および下側の周縁には、複数個のボルト挿通孔が穿設されている。
【０００６】
このフレームボックス６２は、アングル材を溶接等の適宜の手段で枠組み構成したもので、複数個のボルト挿通孔を有してパネル本体１１の内面に接合するフランジ６３，６３が形成されている。また、フレームボックス６２の内端面の略全面には化粧板６４がカバーパネルとしてネジ止め固定されている。
【０００７】
このフレームボックス６２は、フランジ６３，６３の各ボルト挿通孔およびパネル本体６１の各ボルト挿通孔に複数個のボルト６６を挿通してこれらにナット６５を螺合することで、パネル本体６１の外面から突出した状態に固定される。そして、この状態で化粧板６４がパネル本体６１の開口部６１ａを閉塞するようになっている。
【０００８】
なお、図５、図６において、符号６７はエアコン装置の室内機５９と室外機６０とを接続する冷媒パイプや電線コードをテープで巻いて束ねたものを示している。
【特許文献１】実開平６−１６５０７号公報
【発明の開示】
【発明が解決しようとする課題】
【０００９】
ところで、前記したようにエアコンを構成する室内機と室外機は、パネル本体（エアコンパネル）に取り付けられているため、前記室内機と室外機の荷重が前記パネル本体、フレームボックスに作用する。
特に、室外機は重量があるため、かかる荷重による前記パネル本体、フレームボックスの変形等を防止する必要があった。そのため、図６に示すように、ユニットハウス組立て時に、フレームボックス６２の下に室外機６０の荷重を受ける支持台７０、具体的にはブロックを設置し、パネル本体６１、フレームボックス６２に作用する荷重の負担を軽減している。
【００１０】
しかしながら、前記ブロックを用いることは、コストが嵩むばかりでなく、ブロックの準備、設置に手間がかかるという課題があった。
一方、室内機と室外機が取り付けられたエアコンパネルは、不安定であり、単独で起立状態に置くことができず、保管時、運搬時には作業者等によって支持する必要があった。
【００１１】
本発明は、上記技術的課題を解決するためになされたものであり、室内機と室外機が取り付けられたエアコンパネルを起立状態に支持するスタンドを備え、ユニットハウス組立時には、該スタンドによって室外機を載置するためのフレームを支持するユニットハウス用エアコンパネルを提供することを目的とする。
【課題を解決するための手段】
【００１２】
上記目的を達成するためになされた本発明にかかるユニットハウス用エアコンパネルは、パネル本体に、エアーコンディショナの室外機及び室内機が取り付けられたユニットハウス用エアコンパネルにおいて、前記パネル本体の外側に取り付けられた、室外機を載置するためのフレームと、前記フレームに対して、回転及びスライド可能に取り付けられたスタンドとを備え、前記フレームに対してスタンドをスライドさせて、前記スタンドの一端を接地させた状態で、スタンドを前記フレームに固定することによって、スタンドが前記フレームを支持することを特徴としている。
【００１３】
このように、フレームに対して、回転及びスライド可能なスタンドを設け、前記フレームに対してスタンドをスライドさせて、前記スタンドの一端を接地させた状態で、スタンドを前記フレームに固定することによって、前記スタンドがフレームを支持するように構成されているため、パネル本体、フレームに作用する荷重を分散でき、パネル本体、フレームの変形を防止できる。
また、前記スタンドは、室外機を載置するためのフレームに回転及びスライド可能に取り付けられているため、従来用いていたブロックを用いる必要がなく、低コストで、しかも容易にユニットハウスを設置することができる。
【００１４】
ここで、前記スタンドは水平状態で前記フレームに固定され、パネル本体を起立状態に支持するように構成することが望ましい。このように、スタンドを水平状態で前記フレームに固定するように構成したため、パネル本体を起立状態に支持することができる。
【００１５】
また、前記フレームは、パネル本体の上下方向に延設された縦フレームとパネル本体に対して垂直方向に延設された横フレームとを連結したボックスフレームであって、前記スタンドは、パネル本体の下部に位置する下部横フレームに対して、回転及びスライド可能に取り付けられていることが望ましい。
【発明の効果】
【００１６】
本発明にあっては、室内機と室外機が取り付けられたエアコンパネルを起立状態に支持するスタンドを備え、ユニットハウス組立て時には、該スタンドによって室外機を載置するためのフレームを支持することができる。
【発明を実施するための最良の形態】
【００１７】
以下、本発明にかかるエアコンパネルの一実施形態を図１乃至図４に基づいて説明する。図１は、本発明にかかるエアコンパネルが用いられたユニットハウスの全体構造を示す斜視図、図２は図１に示したエアコンパネルの側面図であり、図３はエアコンパネルの起立状態を示す側面図、図４はスタンドの動作を示す斜視図である。
【００１８】
図１に示すように、このユニットハウス１は、従来のユニットハウスと同様に、土台２と屋根３とが四隅に配置された４本の通し柱４により連結され、各通し柱４，４間に壁パネル５，６等が組み付けられて床形状が長方形の家屋を構成している。
【００１９】
このユニットハウス１の幅狭の壁面には、引き戸５ａが設けられた引き戸パネル５が取り付けられている。また、幅広の壁面には、ガラス窓７が設けられた窓パネル６が取り付けられている。
そしてこの幅広の壁面には、パネル本体にエアコンの室内機９及び室外機１０とが設置されたエアコンパネル８が取り付けられている。
なお、前記した引き戸パネル５、窓パネル６、エアコンパネル８は、所定の規格寸法に形成され、設置場所等を変更することができるように構成されている。また、前記引き戸パネルに代えて、所定寸法のドアパネルを所定の壁面に取り付けることができるように構成されている。
【００２０】
また、図２に示すように、前記エアコンパネル（パネル本体）８の室内側にはエアコンの室内機９が固定され、室外側にはエアコンの室外機１０を載置するためのフレームボックス１１が取り付けられている。
このフレームボックス１１は、パネル側縦フレーム１１ａ、上部横フレーム１１ｂ、外側縦フレーム１１ｃ、下部横フレーム１１ｄとから構成される枠体をパネル本体の左右両側に形成し、両側の枠体間を連結フレーム１１ｅによって連結している。
【００２１】
前記パネル側縦フレーム１１ａは、エアコンパネル８の上下方向に延設、固定されており、前記上部横フレーム１１ｂは、パネル側縦フレーム１１ａに一端が取り付けられ、前記エアコンパネル８に対して垂直方向に延設されている。
また、外側縦フレーム１１ｃは、前記上部横フレーム１１ｂに一端が取り付けられ、エアコンパネル８に沿ってエアコンパネルの上下方向に延設されており、下部横フレーム１１ｄは、前記パネル側縦フレーム１１ａと外側縦フレーム１１ｃに取り付けられている。
【００２２】
更に、パネル側縦フレーム１１ａ，１１ａの下部には、室外機１０を載置するための載置板１１ｇが取り付けられている。なお、この載置板１１ｇの端部には、下部横フレーム１１ｄと連結する載置板支持フレーム１１ｈが設けられ、載置板１１ｇに作用する荷重を支持している。
また、前記載置板支持フレーム１１ｈと下部横フレーム１１ｄに対して、一端が接地したスタンド１３がネジ止めにより固定されている。
【００２３】
このようにして構成されたフレームボックス１１は、アングル材を溶接，ネジ止め等の適宜の手段を用いることにより形成することができる。また、このフレームボックス１１は、前記したようにスタンド１３によって支持されているため、室外機の荷重を分散でき、フレームボックス１１の変形、エアコンパネル８の変形を防止できる。なお、図１、図２において、符号１２はエアコン装置の室内機９と室外機１０とを接続する冷媒パイプや電線コードをテープで巻いて束ねたものである。
【００２４】
更に、スタンド１３について詳細に説明する。
このスタンド１３は、図４に示すように断面コ字状に形成され、長手方向に延びる長孔１３ａが形成されている。また、前記下部横フレーム１１ｄにはネジ孔１４ａ，１４ｂが形成されている。更に、前記載置板支持フレーム１１ｈには、ネジ孔１５ａが形成されている。また、前記ネジ孔１４ａ，１４ｂ，１５ａと螺合するネジ１６、１７の軸部は、長孔１３ａ内を移動可能な径に形成され、前記ネジの頭部は長孔１３ａの短径（幅）以上の径に形成されている。
【００２５】
したがって、スタンド１３は、下部横フレーム１１ｄ及び載置板支持フレーム１１ｈに対してスライド可能に取り付けられると共に、下部横フレーム１１ｄ及び載置板支持フレーム１１ｈの任意の位置に移動不能に固定できるように構成されている。
即ち、このスタンド１３は、ネジ１６，１７を用いて、図３に示す水平状態と、図４（図２）に示す垂直状態との二つの状態において固定することができるように構成されている。
【００２６】
具体的に説明すると、図３に示すように、スタンド１３を下部横フレーム１１ｄにネジ１６、１７を用いて固定することによって、スタンド１３は下部横フレーム１１ｄに水平状態に固定される。その結果、エアコンパネル８は、前記スタンド１３と下部横フレーム１１ｄによって、起立状態に支持することができる。
このとき、ネジ１７が長孔１３ａの左端部に位置するようにスタンド１３をスライドさせることで、スタンド１３を水平方向に伸ばすことができ、エアコンパネル８をより安定した起立状態になすことができる。
【００２７】
また、ユニットハウス組み立ての際には、前記ネジ１６を緩め取り外し、ネジ１７を緩め、前記スタンド１３を図４に示すように回動させる。そして、前記スタンド１３の一端が接地するように、スタンド１３をスライドさせ、前記スタンド１３の高さを調節する。
その調節後、載置板支持フレーム１１ｈのネジ孔１５ａにネジ１６を螺合させ、ネジ１７をネジ孔１４ｂに螺合させることによって、前記スタンド１３を載置板支持フレーム１１ｈに固定する。
したがって、載置板支持フレーム１１ｈ及び下部横フレーム１１ｄは、一端が接地したスタンド１３によって支持される。その結果、パネル本体、フレームに作用する荷重を分散でき、パネル本体、フレームの変形を防止できる。また、フレームボックス１１にかかる室外機１０等の荷重を、スタンド１３が支持するため、ブロック等を用いる必要が無く、低コストで、容易にユニットハウスを設置することができる。
【産業上の利用可能性】
【００２８】
本発明は、エアーコンディショナの室外機及び室内機が取り付けられたユニットハウス用エアコンパネルに好適に用いることができる。
【図面の簡単な説明】
【００２９】
【図１】図１は、本発明にかかるエアコンパネルが用いられたユニットハウスの全体構造を示す斜視図である。
【図２】図２は図１に示したエアコンパネルの側面図である。
【図３】図３はエアコンパネルの起立状態を示す側面図である。
【図４】図４はスタンドの動作を示す斜視図である。
【図５】図５は、従来のエアコンが装備されたユニットハウスの全体構造を示した斜視図である。
【図６】図６は、図５に示されたユニットハウスに用いられている従来のエアコンパネルの側面図である。
【符号の説明】
【００３０】
１      ユニットハウス
８      エアコンパネル
９      室内機
１０    室外機
１１    フレームボックス
１１ａ  パネル側縦フレーム
１１ｂ  上部横フレーム
１１ｃ  外側縦フレーム
１１ｄ  下部横フレーム
１１ｅ  連結フレーム
１１ｇ  載置板
１１ｈ  載置板支持フレーム
１３    スタンド
１３ａ  長孔
１４ａ，１４ｂ  ネジ孔
１５ａ  ネジ孔
１６    ネジ
１７    ネジ
【図１】
2005249216.tif 000003
【図２】
2005249216.tif 000004
【図３】
2005249216.tif 000005
【図４】
2005249216.tif 000006
【図５】
2005249216.tif 000007
【図６】
2005249216.tif 000008